(57)【要約】【課題】広告等の商品カタログ、ちり紙、包装紙などの紙屑類を、新聞紙または小冊子と一緒に簡単かつ確実に回収することができる。【解決手段】新聞紙、小冊子、紙屑類を主体とするごみを収納するごみ回収具であり、ごみを収納するごみ収納部１０と、ごみ収納部１０に収納した新聞紙Ｐまたは小冊子Ｓを開いた状態に保持する保持部材２０とを有し、保持部材２０により新聞紙Ｐまたは小冊子Ｂを開いた状態に保持し、新聞紙Ｐまたは小冊子Ｂの開いた部分に紙屑類Ｙを収納可能にした。【選択図】図１
2011088730.tif 000002
【特許請求の範囲】
【請求項１】
新聞紙、小冊子、紙屑類を主体とするごみを収納するごみ回収具であり、
前記ごみを収納するごみ収納部と、
前記ごみ収納部に収納した前記新聞紙または前記小冊子を開いた状態に保持する保持部材とを有し、
前記保持部材により前記新聞紙または前記小冊子を開いた状態に保持し、
前記新聞紙または前記小冊子の開いた部分に前記紙屑類を収納可能にしたことを特徴とするごみ回収具。
【請求項２】
前記保持部材は、
直線状に延びて前記ごみ収納部の内壁に対して所定の隙間を設けることが可能な一対の外側保持線材部と、
前記一対の外側保持線材部の間に位置し、所定の隙間を有する一対の中間保持線材部とを有し、
前記保持部材は、前記ごみ収納部に対して回動可能であり、
前記新聞紙または前記小冊子の開いた外側部分を、前記一対の外側保持線材部と対向する前記ごみ収納部の内壁との間に形成された隙間に挿入し、
前記新聞紙または前記小冊子の開いた中央部分を、前記一対の中間保持線材部の隙間に挿入し、
前記一対の外側保持線材部と、前記一対の中間保持線材部とによって、前記新聞紙または前記小冊子の開いた部分に前記紙屑類を収納可能にしたことを特徴とする請求項１に記載のごみ回収具。
【請求項３】
前記ごみ収納部は、
所定角度の底部を有し、
前記底部により前記新聞紙または前記小冊子の収納を案内することを特徴とする請求項１に記載のごみ回収具。
【発明の詳細な説明】
【技術分野】
【０００１】
この発明は、新聞紙、小冊子、紙屑類を主体とするごみを収納するごみ回収具に関する。
【背景技術】
【０００２】
近年、大気汚染などの地球環境の悪化とともに廃品のリサイクルが重要度を増しており、各自治体・企業などではごみの分別が徹底されている。このような背景のもと、効率的にごみを分別収集するための様々なごみ箱が提案されている（特許文献１）。
【先行技術文献】
【特許文献】
【０００３】
【特許文献１】特開２００６−３２７７５１号公報
【発明の概要】
【発明が解決しようとする課題】
【０００４】
このように、ごみを分別収集するための様々なごみ箱が提案されているが、特に各自治体では、一般の家庭等から新聞紙、小冊子を主体とするごみが多く廃棄されるため、新聞紙、小冊子は例えば所定枚数を重ねてまとめ、紐などで縛ってごみ収集所に出すように指導し、このように縛った状態で回収している。
【０００５】
ところが、日常生活では、特に広告等の商品カタログ、ちり紙、包装紙などの紙屑類が多く発生し、これらの紙屑類は形状や厚みが一定せず、所定枚数をまとめて紐で縛って回収することができない。このため、新聞紙、小冊子の間に紙屑類を挿入するなどして廃棄するように指導しているが、廃棄するときにわざわざ挿入することは面倒であり、紙屑類が他のごみと一緒に廃棄されることがある。
【０００６】
このような紙屑類が、リサイクルすることができないごみと一緒に廃棄されると、回収業者が分別する必要があり、回収に手数を要するとともに、回収コストが嵩むなどの問題がある。
【０００７】
この発明は、かかる実情に鑑みてなされたもので、広告等の商品カタログ、ちり紙、包装紙などの紙屑類を、新聞紙または小冊子と一緒に簡単かつ確実に回収することができるごみ回収具を提供することを目的とする。
【課題を解決するための手段】
【０００８】
前記課題を解決し、かつ目的を達成するために、この発明は、以下のように構成し    た。
【０００９】
請求項１に記載の発明は、新聞紙、小冊子、紙屑類を主体とするごみを収納するごみ回収具であり、
前記ごみを収納するごみ収納部と、
前記ごみ収納部に収納した前記新聞紙または前記小冊子を開いた状態に保持する保持部材とを有し、
前記保持部材により前記新聞紙または前記小冊子を開いた状態に保持し、
前記新聞紙または前記小冊子の開いた部分に前記紙屑類を収納可能にしたことを特徴とするごみ回収具である。
【００１０】
請求項２に記載の発明は、前記保持部材は、
直線状に延びて前記ごみ収納部の内壁に対して所定の隙間を設けることが可能な一対の外側保持線材部と、
前記一対の外側保持線材部の間に位置し、所定の隙間を有する一対の中間保持線材部とを有し、
前記保持部材は、前記ごみ収納部に対して回動可能であり、
前記新聞紙または前記小冊子の開いた外側部分を、前記一対の外側保持線材部と対向する前記ごみ収納部の内壁との間に形成された隙間に挿入し、
前記新聞紙または前記小冊子の開いた中央部分を、前記一対の中間保持線材部の隙間に挿入し、
前記一対の外側保持線材部と、前記一対の中間保持線材部とによって、前記新聞紙または前記小冊子の開いた部分に前記紙屑類を収納可能にしたことを特徴とする請求項１に記載のごみ回収具である。
【００１１】
請求項３に記載の発明は、前記ごみ収納部は、
所定角度の底部を有し、
前記底部により前記新聞紙または前記小冊子の収納を案内することを特徴とする請求項１に記載のごみ回収具である。
【発明の効果】
【００１２】
前記構成により、この発明は、以下のような効果を有する。
【００１３】
請求項１に記載の発明では、ごみ回収具に、新聞紙または小冊子の開いた状態でセットし、この新聞紙または小冊子の開いた部分に、紙屑類を収納することができる。所定量の紙屑類を収納したら新聞紙または小冊子をごみ回収具から取り出すことで、紙屑類が新聞紙または小冊子に挿入した状態になることから、紙屑類を新聞紙または小冊子と一緒に簡単かつ確実に回収することができる。
【００１４】
請求項２に記載の発明では、保持部材が、一対の外側保持線材部と、一対の中間保持線材部とを有し、この保持部材は、一対の外側保持線材部と、一対の中間保持線材部とによって、新聞紙または小冊子の開いた部分に紙屑類を収納可能にした簡単な構成であり、安価に製作できる。
【００１５】
請求項３に記載の発明では、ごみ収納部が、新聞紙または小冊子を容易に、かつ確実に収納可能にした簡単な構成であり、家庭の適当場所に置くことができる。
【図面の簡単な説明】
【００１６】
【図１】ごみ回収具の側面図である。
【図２】ごみ回収具の斜視図である。
【図３】ごみ回収具の上側から見た図である。
【図４】底部の断面図である。
【図５】ごみ回収具の使用状態を説明する図である。
【発明を実施するための形態】
【００１７】
以下、この発明のごみ回収具の実施の形態について説明する。この発明の実施の形態は、発明の最も好ましい形態を示すものであり、この発明はこれに限定されない。
【００１８】
（ごみ回収具の構成）
この実施の形態のごみ回収具の構成を、図１乃至図４に基づいて説明する。図１はごみ回収具の側面図、図２はごみ回収具の斜視図、図３はごみ回収具の上側から見た図、図４
は底部の断面図である。
【００１９】
この実施の形態のごみ回収具１は、新聞紙、小冊子、紙屑類を主体とするごみを収納するものであり、ごみを収納するごみ収納部１０と、ごみ収納部１０に収納した新聞紙または小冊子を開いた状態に保持する保持部材２０とを有する。
【００２０】
ごみ収納部１０は、底部１４において所定角度で連結した一対の保持壁プレート１１，１２と、一対の保持壁プレート１１，１２の一方側を連結した連結壁プレート１３とを有し、一対の保持壁プレート１１，１２の上方と、連結壁プレート１３に対して反対側を開放した構成である。
【００２１】
一対の保持壁プレート１１，１２は、長方形状の樹脂で成形されているが、木材、金属等で成形しても良く、樹脂で成形する場合は、透明樹脂でも、着色した樹脂等でも良い。また、一対の保持壁プレート１１，１２は、図４（ａ）に示すように、底部１４において所定角度βで例えば接着剤などで連結されているが、一体に成形しても良い。また、所定角度βは、新聞紙または小冊子を開いた状態に保持することができれば特に限定されない。さらに、底部１４は、所定の幅Ｗ１で平面に形成され、新聞紙Ｐまたは小冊子Ｂを収納するときに当たる抵抗を軽減し、円滑に収納することができるようになっている。
【００２２】
一対の保持壁プレート１１，１２の底部１４には、一対の脚部プレート１５，１６が例えば接着剤などで接続されているが、一体に成形しても良い。この一対の脚部プレート１５，１６によって、一対の保持壁プレート１１，１２を設置面に保持するが、図４（ｂ）に示すように、水平面Ｌ１に対して所定角度α傾斜させている。この所定角度αの傾斜によって、連結壁プレート１３に新聞紙Ｐまたは小冊子Ｂの端部が当たるように確実に収納することができる。
【００２３】
連結壁プレート１３は、三角形状の樹脂で成形されているが、木材、金属等で成形しても良く、樹脂で成形する場合は、透明樹脂でも、着色した樹脂等でも良い。また、連結壁プレート１３は、両端部が例えば接着剤などで一対の保持プレート１１，１２のそれぞれの端部と連結されているが、一体に成形しても良い。この連結壁プレート１３は、一対の脚部プレート１７，１８によって、連結壁プレート１３を設置面に保持する。一対の脚部プレート１７，１８は、連結壁プレート１３の両端部に例えば接着剤などで連結されているが、一体に成形しても良い。
【００２４】
保持部材２０は、直線状に延びて一対の保持壁プレート１１，１２のそれぞれの内壁に対して所定の隙間Ｄ１，Ｄ２が形成される一対の外側保持線材部２１，２２と、一対の外側保持線材部２１，２２の間に位置し、所定の隙間Ｄ３を有する一対の中間保持線材部２３，２４とを有する。
【００２５】
外側保持線材部２１と中間保持線材部２３は、例えば金属の線材をＵ字状に屈曲して形成され、外側保持線材部２２と中間保持線材部２４も同様に、例えば金属の線材をＵ字状に屈曲して形成され、一対の中間保持線材部２３，２４の基部が固定部材２５によって一体に固定されている。この固定部材２５は、線材で形成され、コイル状に巻き付けて固定しているが、これに限定されずに溶接や接着剤等によって固定しても良い。
【００２６】
保持部材２０は、外側保持線材部２１と中間保持線材部２３の屈曲部２６ａが、一対の支持部材２７ａ，２７ｂによって、また外側保持線材部２２と中間保持線材部２４の屈曲部２６ｂは、一対の支持部材２８ａ，２８ｂによって連結壁プレート１３に回動可能支持されている。一対の外側保持線材部２１，２２の先端部２１ａ，２２ａは、内側であり、それぞれの保持壁プレート１１，１２の表面から離れる方向に屈曲しており、一対の中間
保持線材部２３，２４の先端部は２３ａ，２４ａは外側であり、それぞれ一対の中間保持線材部２３，２４に近づく方向に屈曲している。
【００２７】
このようにして、保持部材２０は、連結壁プレート１３に対して回動可能であり、一対の外側保持線材部２１，２２が、それぞれの対向する保持壁プレート１１、１２の表面に当たって、図１に示すように、略水平位置にある。この略水平位置が、保持部材２０の初期位置であり、図３に示すように、新聞紙Ｐまたは小冊子Ｂの開いた外側部分Ｐ１，Ｂ１を、一対の外側保持線材部２１，２２と対向する保持壁プレート１１，１２の内壁との間の隙間Ｄ１，Ｄ２に挿入し、新聞紙Ｐまたは小冊子Ｂの開いた中央部分Ｐ２，Ｂ２を、一対の中間保持線材部２３，２４の隙間Ｄ３に挿入し、一対の外側保持線材部２１，２２と、一対の中間保持線材部２３，２４とによって、新聞紙Ｐまたは小冊子Ｂの開いた部分Ｅ１，Ｅ２に紙屑類Ｙを収納可能にしている。
【００２８】
（ごみ回収具の使用）
次に、この実施の形態のごみ回収具１の使用を、図５に基づいて説明する。図５はごみ回収具の使用状態を説明する図である。新聞紙Ｐに紙屑類Ｙを収納する使用例について説明するが、小冊子Ｂに紙屑類Ｙを収納する場合も同様である。
【００２９】
まず、図５（ａ）に示すように、新聞紙Ｐ  の紙面は、通常１／４に折られており、この１／４に折られている新聞紙Ｐの中央部分Ｐ２を指で摘み、図５（ｂ）に示すように、ごみ回収具１の上方から収納する。
【００３０】
この新聞紙Ｐの収納は、図５（ｃ）に示すように、新聞紙Ｐの開いた外側部分Ｐ１を、一対の外側保持線材部２１，２２と対向する保持壁プレート１１，１２の内壁との間の隙間Ｄ１，Ｄ２に挿入し、新聞紙Ｐの開いた中央部分Ｐ２を、一対の中間保持線材部２３，２４の隙間Ｄ３に挿入する。
【００３１】
そして、家庭で、広告等の商品カタログ、ちり紙、包装紙などの紙屑類Ｙが出てくると、その都度、図５（ｄ）に示すように、一対の外側保持線材部２１，２２と、一対の中間保持線材部２３，２４とによって、新聞紙Ｐの開いた部分Ｅ１，Ｅ２に紙屑類Ｙを収納する。
【００３２】
このようにして、新聞紙Ｐの開いた部分Ｅ１，Ｅ２に紙屑類Ｙを収納し、紙屑類Ｙの量が多くなると、図５（ｅ）に示すように、新聞紙Ｐの開いた中央部分Ｐ２を指で持ってごみ回収具１から取り出す。この状態では、新聞紙Ｐの外側部分Ｐ１と、中央部分Ｐ２との間に紙屑類Ｙが収納されており、特に広告等の商品カタログ、ちり紙、包装紙などの紙屑類Ｙが多く発生した場合でも、これらの紙屑類Ｙの形状や厚みが一定しなくても、新聞紙Ｐと一緒に所定枚数をまとめて重ね紐で縛って回収することができる。
【００３３】
このように、この実施の形態では、ごみ回収具１に、新聞紙Ｐまたは小冊子Ｂを開いた状態でセットし、この新聞紙Ｐまたは小冊子Ｂの開いた部分に、紙屑類Ｙを容易に収納することができる。そして、所定量の紙屑類Ｙを収納したら新聞紙Ｐまたは小冊子Ｂをごみ回収具１から取り出すことで、紙屑類Ｙを新聞紙Ｐまたは小冊子Ｂに挿入した状態になることから、紙屑類Ｙを、新聞紙Ｐまたは小冊子Ｂと一緒に簡単かつ確実に回収することができる。
【００３４】
また、ごみ回収具１は、ごみ収納部１０が、一対の保持壁プレート１１，１２と、連結壁プレート１３とを有し、一対の保持壁プレート１１，１２の上方と、連結壁プレート１３に対して反対側を開放した簡単かつ小型な構成であり、また保持部材２０が、一対の外側保持線材部２１，２２と、一対の中間保持線材部２３，２４とを有し、この保持部材２０は、一対の外側保持線材部２１，２２と、一対の中間保持線材部２３，２４とによって、新聞紙Ｐまたは小冊子Ｂの開いた部分に紙屑類Ｙを収納可能にした簡単な構成であり、安価に製作でき、しかも家庭の適当場所に置くことができる。
【産業上の利用可能性】
【００３５】
この発明は、新聞紙、小冊子、紙屑類を主体とするごみを収納するごみ回収具に適用可能であり、広告等の商品カタログ、ちり紙、包装紙などの紙屑類を、新聞紙または小冊子と一緒に簡単かつ確実に回収することができる。
【符号の説明】
【００３６】
１  ごみ回収具
１０  ごみ収納部
１１，１２  一対の保持壁プレート
１３  連結壁プレート
１４  底部
１５，１６、１７，１８  一対の脚部プレート
２０  保持部材
２１，２２  一対の外側保持線材部
２３，２４  一対の中間保持線材部
２５  固定部材
２６ａ  外側保持線材部２１と中間保持線材部２３の屈曲部
２７ａ，２７ｂ，２８ａ，２８ｂ  一対の支持部材
Ｄ１，Ｄ２，Ｄ３  所定の隙間
Ｂ  小冊子
Ｐ  新聞紙
Ｗ  所定の幅
Ｌ１水平面
α，β  所定角度
【図１】
2011088730.tif 000003
【図２】
2011088730.tif 000004
【図３】
2011088730.tif 000005
【図４】
2011088730.tif 000006
【図５】
2011088730.tif 000007
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
新聞紙、小冊子、紙屑類を主体とするごみを収納するごみ回収具であり、
前記ごみを収納するごみ収納部と、
前記ごみ収納部に収納した前記新聞紙または前記小冊子を開いた状態に保持する保持部材とを有し、
前記保持部材は、
直線状に延びて前記ごみ収納部の内壁に対して所定の隙間を設けることが可能な一対の外側保持線材部と、
前記一対の外側保持線材部の間に位置し、所定の隙間を有する一対の中間保持線材部とを有し、
前記保持部材は、前記ごみ収納部に対して回動可能であり、
前記新聞紙または前記小冊子の開いた外側部分を、前記一対の外側保持線材部と対向する前記ごみ収納部の内壁との間に形成された隙間に挿入し、
前記新聞紙または前記小冊子の開いた中央部分を、前記一対の中間保持線材部の隙間に挿入し、
前記一対の外側保持線材部と、前記一対の中間保持線材部とによって、前記新聞紙または前記小冊子の開いた部分に前記紙屑類を収納可能にしたことを特徴とするごみ回収具。
【請求項２】
前記ごみ収納部は、
所定角度の底部を有し、
前記底部により前記新聞紙または前記小冊子の収納を案内することを特徴とする請求項１に記載のごみ回収具。
【手続補正２】
【補正対象書類名】明細書
【補正対象項目名】０００８
【補正方法】変更
【補正の内容】
【０００８】
前記課題を解決し、かつ目的を達成するために、この発明は、以下のように構成した。
【手続補正３】
【補正対象書類名】明細書
【補正対象項目名】０００１
【補正方法】変更
【補正の内容】
【０００１】
請求項１に記載の発明は、新聞紙、小冊子、紙屑類を主体とするごみを収納するごみ回収具であり、
前記ごみを収納するごみ収納部と、
前記ごみ収納部に収納した前記新聞紙または前記小冊子を開いた状態に保持する保持部材とを有し、
前記保持部材は、
直線状に延びて前記ごみ収納部の内壁に対して所定の隙間を設けることが可能な一対の外側保持線材部と、
前記一対の外側保持線材部の間に位置し、所定の隙間を有する一対の中間保持線材部とを有し、
前記保持部材は、前記ごみ収納部に対して回動可能であり、
前記新聞紙または前記小冊子の開いた外側部分を、前記一対の外側保持線材部と対向する前記ごみ収納部の内壁との間に形成された隙間に挿入し、
前記新聞紙または前記小冊子の開いた中央部分を、前記一対の中間保持線材部の隙間に挿入し、
前記一対の外側保持線材部と、前記一対の中間保持線材部とによって、前記新聞紙または前記小冊子の開いた部分に前記紙屑類を収納可能にしたことを特徴とするごみ回収具である。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の発明は、前記ごみ収納部は、
所定角度の底部を有し、
前記底部により前記新聞紙または前記小冊子の収納を案内することを特徴とする請求項１に記載のごみ回収具である。
【手続補正６】
【補正対象書類名】明細書
【補正対象項目名】００１３
【補正方法】変更
【補正の内容】
【００１３】
請求項１に記載の発明では、ごみ回収具に、新聞紙または小冊子の開いた状態でセットし、この新聞紙または小冊子の開いた部分に、紙屑類を収納することができる。所定量の紙屑類を収納したら新聞紙または小冊子をごみ回収具から取り出すことで、紙屑類が新聞紙または小冊子に挿入した状態になることから、紙屑類を新聞紙または小冊子と一緒に簡単かつ確実に回収することができる。また、保持部材が、一対の外側保持線材部と、一対の中間保持線材部とを有し、この保持部材は、一対の外側保持線材部と、一対の中間保持線材部とによって、新聞紙または小冊子の開いた部分に紙屑類を収納可能にした簡単な構成であり、安価に製作できる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項２に記載の発明では、ごみ収納部が、新聞紙または小冊子を容易に、かつ確実に収納可能にした簡単な構成であり、家庭の適当場所に置くことができる。